(57)【要約】【課題】光ディスクを回転自在にスピンドルモータに係合させるクランパーをスピンドルモータに一体化した構成では、ディスク装脱着に際し手が触れやすく操作性が悪い。【解決手段】レンズ３１を介して撮影した被写体を、光ピックアップ４１を介して記録するディスクムービー３０において、回転軸１回りに回転自在に固着するクランパー部２による光ディスクの固着を、ディスク装置の蓋部７の開扉動作に連動して解除する解除部８を備える。この構成により、光ディスクをディスク装置から取り出す際に、光ディスクの記録面を撮影者が手で触れるを抑制できるため、ディスクムービー３０の操作性を向上することができる。【選択図】図１
2007287269.tif 000002
【特許請求の範囲】
【請求項１】
光ディスクを回転する回転軸に形成され前記光ディスクの中心孔を固定するクランプ手段を備える回転手段と、
前記回転手段を固定する固定手段と、
前記固定手段を内包する筐体と、
前記回転手段及び前記固定手段を内包し前記筐体を蓋する蓋部材と、
前記蓋部材の開閉動作に連動して、前記光ディスクを前記クランプ手段の固定を解除する解除手段とを備えるディスク装置。
【請求項２】
前記解除手段は、前記クランプ手段で固定された前記光ディスクを、前記固定手段側から押圧係合する押圧部を含む請求項１記載のディスク装置。
【請求項３】
前記筐体と前記蓋部材とは前記回動軸を介して係合し、前記回動軸の前記固定手段に対する投影面は、当該固定手段における前記蓋部材と反対側に傾斜する傾斜面であり、前記解除手段の解除動作に連動して、前記光ディスクが前記傾斜面に係合する請求項１または２何れかに記載のディスク装置。
【請求項４】
前記蓋部材が前記筐体に係合する際に、前記光ディスクを前記クランパ手段に装着する凸部を当該蓋部材の前記光ディスク係合側に突出する請求項１〜３何れかに記載のディスク装置。
【発明の詳細な説明】
【技術分野】
【０００１】
本発明は、ディスクプレーヤ、ディスクレコーダに関するものである。
【背景技術】
【０００２】
従来、ディスク記録及び／または再生機器（ＣＤプレーヤ、ＤＶＤレコーダ等）のターンテーブルへのディスク装着は、マグネット又はバネなどの付勢力を利用したクランパーを、光ディスクのレーベル面側から押し当てる方式と、ターンテーブル内にボールまたは勾配のついた爪をバネで押し広げる分力でディスクをターンテーブル面に押し当てる方式（以下、爪クランパー方式と称す）が一般的に使用されている。可搬式ディスク装置は、省スペース化、安価、及びディスク装置の姿勢差に関係なく確実にディスクをターンテーブルに固定出来るため、ターンテーブルへのディスク保持は、ターンテーブル自身にクランプ部材を持つ爪クランパー方式が採用され、例えば特許文献１〜４等で提案され、普及している。
【特許文献１】実開平１−０４８７３８号公報
【特許文献２】特開平４−１１９５５３号公報
【特許文献３】特開平５−２９８７８９号公報
【特許文献４】特開平６−０１２７６１号公報
【発明の開示】
【発明が解決しようとする課題】
【０００３】
このような従来のディスク装置において、光ディスクをターンテーブルに安定的に押圧するため、強いばねが必要となり、そのことが光ディスクの着脱時に大きな力が必要となり、操作性を妨げていた。
【０００４】
また、記録可能な光ディスクをレコーダとして使用するディスクムービなど携帯ディスク装置などは、特に信号面に指紋などの汚れがつかないような配慮を使用者に求めているが、光ディスク着脱時に取り出しにくい構造の場合、得てしてディスクの信号面に触れることが起こっていた。
【０００５】
本発明は、ディスクの着脱操作を容易にしたディスク装置を提供することを目的としてなされたものである。
【課題を解決するための手段】
【０００６】
本発明のディスク装置は、光ディスクを回転する回転軸に形成され前記光ディスクの中心孔を固定するクランプ手段を備える回転手段と、前記回転手段を固定する固定手段と、前記固定手段を内包する筐体と、前記回転手段及び前記固定手段を内包し前記筐体を蓋する蓋部材と、前記蓋部材の開閉動作に連動して、前記光ディスクを前記クランプ手段の固定を解除する解除手段とを備える。
【０００７】
また、本発明のディスク装置における解除手段は、前記クランプ手段で固定された前記光ディスクを、前記固定手段側から押圧係合する押圧部を含む。また、本発明のディスク装置における筐体と蓋部材とは前記回動軸を介して係合し、前記回動軸の前記固定手段に対する投影面は、当該固定手段における前記蓋部材と反対側に傾斜する傾斜面であり、前記解除手段の解除動作に連動して、前記光ディスクが前記傾斜面に係合する。また、本発明のディスク装置における蓋部材が前記筐体に係合する際に、前記光ディスクを前記クランパ手段に装着する凸部を当該蓋部材の前記光ディスク係合側に突出する。
【発明の効果】
【０００８】
本発明のディスク装置は、ディスクのターンテーブルへの着脱を撮影者がディスクに直接手で触れことなく出来るため、操作性が良く、ディスク信号面に指紋を付けるなどの問題も起こさないという利点がある。
【発明を実施するための最良の形態】
【０００９】
本発明のディスク装置は、光ディスクを回転する回転軸に形成され前記光ディスクの中心孔を固定するクランプ手段を備える回転手段と、前記回転手段を固定する固定手段と、前記固定手段を内包する筐体と、前記回転手段及び前記固定手段を内包し前記筐体を蓋する蓋部材と、前記蓋部材の開閉動作に連動して、前記光ディスクを前記クランプ手段の固定を解除する解除手段とを備える構成であるため、撮影者が光ディスク取出時に当該光ディスクに直接手で触れることなくディスクのクランプ及び解除を可能にするという作用を有する。
【００１０】
また、上述の解除手段は、前記クランプ手段で固定された前記光ディスクを、前記固定手段側から押圧係合する押圧部を含む構成を備えると、撮影者が光ディスク取出時に当該光ディスクを直接触れることなく光ディスクを取り出しできる構成を簡便化することができ、光ディスク外周を撮影者の指等でクランプ手段から取り外す必要がないため、光ディスク取出時に撮影者が光ディスクの情報層を指等で触れることを抑制することができると共に、素早い操作が可能であり、蓋部材を大きく開くことなく構成できるため省スペース設計が可能となる。また、上記何れかの筐体と蓋部材とは前記回動軸を介して係合し、前記回動軸の前記固定手段に対する投影面は、当該固定手段における前記蓋部材と反対側に傾斜する傾斜面であり、前記解除手段の解除動作に連動して、前記光ディスクが前記傾斜面に係合する構成を採用すると、撮影者は手でクランプ手段からディスクを引き剥がすことなく操作ができるため、ディスク信号面などに触れることなくスムーズに取出しができるという作用を有する。また、上記何れかの蓋部材が前記筐体に係合する際に、前記光ディスクを前記クランパ手段に装着する凸部を当該蓋部材の前記光ディスク係合側に突出する構成を採用すると、光ディスク装着時に撮影者が指等で光ディスクをクランプ手段に押圧する必要がないため、光ディスク装脱着時に撮影者が光ディスクの情報層を指等で触れることを抑制することができると共に、光ディスクのクランプ手段に対する装着操作が蓋部材の閉扉動作に連動させることが可能となり素早い操作、及び、蓋部材を大きく開くことなく光ディスクの装脱着を可能とすることができ省スペース設計が可能となる。
【００１１】
以下、本発明のディスク装置を実施すための最良の形態について、記録型光ディスクを撮像装置の記録媒体に適用したディスクムービーを例にとり、図１から図５を用いて詳細に説明する。図１は本第実施形態におけるディスクムービーの外観図を示し、同図において、３０はディスクムービー、３１は被写体の光像を不図示の撮像素子に結像させるレンズ、３２はディスクムービー３０の撮影を開始または停止するシャッター、３３はディスクムービー３０に電源を供給するバッテリー、３４は撮像素子が視認化した被写体像を視認するエレクトリックビューファインダー（以下、ＥＶＦと称す）、４１は光ディスク１４（図２参照）の情報層に対物レンズ４２で光スポットを照射する光ピックアップ、４３は光ピックアップ４１を光ディスク１４の半径方向に移動させる一対のガイドレール、１は光ディスク１４を回転させる図２に示したスピンドルモータ３（回転手段）の回転軸、２は光ディスク１４の図２に示した中心孔１３を嵌合し光ディスクを固定するクランパー部（クランプ部材）、４は光ディスク１４の中心孔１３をガイドするガイド突起、７は開閉穴３５に開閉爪（図示は省略）が係合する扉部（扉部材）、８は扉部７の開扉動作に連動して光ディスク１４とクランパー部２との嵌合を解除する解除部（解除手段）である。
【００１２】
次に、同図の各構成の作用について説明する。同図はディスクムービー３０に光ディスク１４を装着する前の様子を示し、光ディスク１４の情報層に光を照射し当該情報層に対し光ビームを入射する記録面側を光ピックアップ４１に対向するように、中心孔１３をクランパー部２に嵌合する。その後開閉穴３５に係合させ扉部７の爪部を閉扉し、ディスクムービー３０のパワースイッチ（図示は省略）をオンにすると、光ピックアップ４１は軸４３に沿ってリードインエリアと称される光ディスク１４の内周部に移動する。撮影スタンバイ状態でシャッター３２を押下するとレンズ３１から所望の被写体が撮像素子を介して撮影され、不図示の記録再生処理回路により記録信号が光ピックアップ４１の対物レンズ４２により光ディスク１４の情報層に記録マーク（記録ピット等とも称される）を形成すると共に、記録信号は不図示の液晶パネルに被写体像を表示し、ＥＶＦ３４から撮影者が現在レンズ３１が捉えている映像を視認することができる。
【００１３】
このようにして光ディスク１４の情報層に被写体画像を記録した後、光ディスク１４をムービー３０から取り出す。この一連の様子を図２〜５を参照しながら説明する。なお、これらの図は何れも、図１のディスクムービー３０における光ディスク装置だけを拡大した要部拡大断面図で、図面を簡略化するため光ピックアップ４１は省略している。また、図２は光ディスク１４を光ディスク装置に装着前を示し、図３は光ディスク１４を光ディスク装置に装着し記録または再生を行っている状態、図４は光ディスク１４を光ディスク装置から取出始める状態、図５は光ディスク１４を光ディスク装置から取り出した状態をそれぞれ示す。これらの図において、５はスピンドルモータ３を固定するシャーシ（固定手段）、６はスピンドルモータ３及びシャーシ５を内包する外装部（筐体）、９は扉部７を回動自在に外装部６に係合するヒンジ（回動軸）、１０は扉部７の開閉動作に解除部８を追従させる係合部、１１は扉部７の開閉動作に解除部８を追従させる付勢部である。
【００１４】
先ず、外装部６が備える開閉穴３５と開閉穴３５に対する扉部７の係合部（共に、これらの図２では現れないため省略）との係合を解除すると、付勢部１１の復元力により扉部７は解除部８を介して外装部６を開扉する。扉部７は、ヒンジ９の回りに回動することでより開扉され、扉部７と外装部６との開扉口から光ディスク１４を挿入し、光ディスク１４はガイド突起４に中心孔１３をガイドすると共に、クランパー部２によって当該中心孔１３に嵌合することで光ディスク１４をスピンドルモータ３に対して回転自在に固定し、図３に示すように光ディスク１４に対して記録再生を行う。なお、クランパー部２は、ボールを光ディスク１４の外周方向に付勢する付勢ばねとによって構成される携帯としている。光ディスク１４をディスク装置から取り出す際には、図４に示したように扉部７と外装部６との係合を解除すると、付勢部１１の付勢力で扉部７が開扉すると同時に、この付勢力が解除部８を押圧することにより係合部１０回りに回動し、光ディスク１４を扉部１４の開扉方向に押圧する。この押圧力が解除部８を介して、光ディスク１４の外周部に対し外装部６側から押圧係合することにより、クランパー部２と中心孔１３との嵌合を解除し、光ディスク１４はディスク装置から取り出すことができる。
【００１５】
このようにして、ディスク装置のクランパー部２で回転自在に固着されている光ディスク１４は、扉部７の外装部６に対する開扉動作に連動して容易に取り出すことができ、撮影者等の指や手が触れることなくクランパー部２から光ディスク１４を取り出すことができると共に、例えば光ディスク１４を取り替える際に動作が素早くできる。
【００１６】
また、同図に示したように、扉部７の光ディスク１４を収納する（すなわち、スピンドルモータ３やシャーシ５も収納する）収納面側において、回転軸１近傍でクランパー部２を構成するガイド突起４を包含する範囲外周に凸部（突起部）１５を備えると、光ディスク１４をクランパー部２に対して装着する際にも、例えば撮影者が指等で押圧する必要性も回避することができ、光ディスク１４の装脱着時に撮影者等の手や指が触れることによる指紋の付着を抑制することができる。さらに、図５に示したように、光ディスク１４をディスク装置から取り出す際に、シャーシ５に対するヒンジ９の投影部近傍から外装部６側（すなわち、蓋部７を備える反対側）に傾斜するテーパ部（斜面部）１２を備えると、光ディスク１４を取り出す際に扉部７の外装部６に対する開口度合いが大きくした際にテーパ部１２に光ディスク１４が挟持されるため、光ディスク１４の脱落を防止することができると共に、当該光ディスク１４の外周と中心孔１３との間で容易に把持することができ、取り出す際に光ディスク１４の記録面に指等が触れることを完全に抑制できる。さらに、光ディスク１４をクランパー部２に対して装着する際に、ディスク装置に挿入する時に当該テーパ部１２と扉部７との間で光ディスク１４を挟持できるため、光ディスク１４の装着性が向上する。また、同図に示したように、この挟持構成に加え扉部７に凸部１５も備える構成を採用すると、光ディスク１４をディスク装置の蓋部７とテーパ部１２との間に入れるだけで、光ディスク１４のクランパー部２に対する装脱着を全て扉部７の開閉動作に連動させることができ、光ディスク１４のディスク装置に対する操作性を著しく向上させることができる。
【００１７】
なお、上述の実施形態ではクランパー部２としてボールを付勢ばねにより押圧する構成で説明したが、例えば爪部の弾性変形力のクランパー構成であっても適用できること勿論である。また、構成が簡単でかつ説明も簡単であるため扉部７の開閉動作を生起する力を付勢部１１の付勢力で解除部８が係合部１０回りに回動する構成としたが、例えば扉部７の開扉動作をモータ等の動力で行い、当該動力を例えばラックと歯車との組み合わせで解除部８に伝達する等の構成であっても何等問題はなく適用することができる。
【産業上の利用可能性】
【００１８】
本発明のディスク装置は、ディスクのターンテーブルへの着脱を撮影者が手で直接力を加えずに出来るため、操作性が良く、ディスク信号面に指紋を付けるなどの問題も起こさないという利点があるため、ＣＤ、ＤＶＤなどのディスク機器全般に応用出来る。
【図面の簡単な説明】
【００１９】
【図１】本発明の一実施形態におけるディスクムービの外観図
【図２】同実施形態におけるディスク装着前の要部断面図
【図３】同実施形態におけるディスク装着時の要部断面図
【図４】同実施形態におけるディスク装脱時の要部断面図
【図５】同実施形態におけるディスク装着後の要部断面図
【符号の説明】
【００２０】
１  回転軸
２  クランパー部
３  スピンドルモータ
４  ガイド突起
５  シャーシ
６  外装部
７  扉部
８  解除部
９  ヒンジ
１０  係合部
１１  付勢部
１２  テーパ部
１３  中心孔
１４  光ディスク
１５  凸部
３０  ディスクムービー
３１  レンズ
３２  シャッター
３３  バッテリー
３４  ＥＶＦ
３５  開閉穴
４１  光ピックアップ
４２  対物レンズ
４３  ガイドレール
【図１】
2007287269.tif 000003
【図２】
2007287269.tif 000004
【図３】
2007287269.tif 000005
【図４】
2007287269.tif 000006
【図５】
2007287269.tif 000007